Podtech/llm-jp-corpus-v4-ja_patent huggingface dataset:
(57)【要約】【課題】フルボ酸木酢液単体では、消臭・抗菌効果やフルボ酸効果はすぐに途切れて持続性は長くありません。それと、フルボ酸木酢液が完全に乾燥してしまうと効果が出ません。フルボ酸の効果を出すためには、溶出させるための水分が必要です。【解決手段】高温処理炭にフルボ酸木酢液を含浸させ気孔に取り込み、フルボ酸効果の遅効性（持続性）と互いに持つ消臭・抗菌効果を高め合うことができました。実際にフルボ酸炭を使って、抗菌実験と遅効性実験を行ってみました。フルボ酸木酢液を含浸させ乾燥させた炭（フルボ酸炭）の抗菌効果を出すためには、炭からフルボ酸を溶出させるための水分が欲しいので、フルボ酸炭の吸水性実験を行ってみました。その結果、炭単独よりも吸水性が増すことが分かりました。上記両実験で、フルボ酸炭は抗菌効果、遅効性（持続性）があることと吸水性が増すことが分かりました。これはフルボ酸効果を出すために重要です。【選択図】図１
2017071555.tif 000002
【特許請求の範囲】
【請求項１】
フルボ酸炭は吸水性があることと抗菌効果の遅効性（持続性）があることが分かったので、フルボ酸炭を使用したシートは「健康足裏シート」として効果を発揮する商品になります。「図４」
【請求項２】
「靴の中敷き」も健康足裏シートと同様に、フルボ酸炭の遅効性（持続性）と吸水性を発揮できる商品になります。「図５」
【請求項３】
「エアコン等のフィルター」はいっぺんに効果を出す必要はなく、フルボ酸炭を空気の通り道に置いておくだけで、室内湿度で細菌や臭いに効果を出し、また、フルボ酸の効果をゆっくりと室内に充満させていく商品になります。「図６」
【請求項４】
「タンスの引出しシート」としてフルボ酸炭を使用した場合、消臭・抗菌効果の遅効性（持続性）と吸水性で、タンス内の湿度でゆっくりと長く効果を発揮できる商品になります。「図７」
【発明の詳細な説明】
【技術分野】
【０００１】
本発明は高温処理炭にフルボ酸木酢液（８０００ｐｐｍ）を含浸させ吸水性や遅効性（持続性）を持たせ、その特性を生かした商品開発です。
【背景技術】
【０００２】
フルボ酸木酢液を高温処理炭に含浸させ乾燥させることにより、フルボ酸効果の遅効性（持続性）を出したい。そして更に、吸水性の変化にも興味を持ちました。また、身体に直接接触させ、より水分を吸収し、フルボ酸を溶出させることが期待できる。
吸水性実験を行い、吸水性と炭単体のときとの変化があるかを検証。「フルボ酸炭吸水性実験」「図１」と「図２」
また、フルボ酸木酢液を含浸させ乾燥させた炭の抗菌実験を行い、抗菌効果と遅効性（持続性）を検証してみる。「鶏糞へのフルボ酸炭添加実験」「図３」
【発明の概要】
【発明が解決しようとする課題】
【０００３】
フルボ酸単体を使用したのでは、効果はすぐに途切れて身体にじっくりと浸透していかない。
フルボ酸の効用を出すためには、水分は欠かせない。水分をどう取り込むかも課題である。
【課題を解決するための手段】
【０００４】
多孔質の高温処理炭に高濃度フルボ酸木酢液（８０００ｐｐｍ）の１００倍希釈液を含浸させ乾燥させる。それにより抗菌効果作用の遅効性（持続性）を発揮させる環境を作り出す。「鶏糞へのフルボ酸炭添加実験」「図３」
高温処理炭とフルボ酸木酢液を含浸させ乾燥させた炭は、炭単体のときよりも吸水性が増加することが、吸水性実験を行ってみて初めて分かりました。「フルボ酸炭吸水性実験」「図１」と「図２」
【発明の効果】
【０００５】
この発明により、フルボ酸木酢液を含浸させ乾燥させた炭は炭単体のときよりも吸水性が増加し、身体に直接接触させると、より水分の吸収を高めることが分かった。それにより、フルボ酸の溶出を早めることができる。
そして、フルボ酸活性成分を体内に吸収促進させることができ、かつ持続的に作用する。
また、水分の接触環境を変え、使用目的によってフルボ酸の溶出をコントロールすることができる。
【図面の簡単な説明】
【０００６】
【図１】フルボ酸炭の吸水性実験を行いました。今現在足裏シートとして売られている、でんぷんやシリカ等吸水性の高い添加物が入っている市販品と比べても、それほど大きくは変わりませんでした。もっと吸水性を高めたいときは、単純にでんぷん等を多少添加すればいいだけのことです。注目すべきことは、フルボ酸木酢液を含浸させ乾燥させたフルボ酸炭は、炭単独よりも吸水性が増すことが分かりました。
【図２】は「図１」の２ページ目です。
【図３】フルボ酸木酢液を含浸させ乾燥させた炭の抗菌実験を行い、持続的に抗菌効果があることが分かった。
【図４】健康足裏シートとして使用するときの図です。
【図５】靴の中敷きとして使用するときの図です。
【図６】エアコン等のフィルターとして使用するときの図です。
【図７】タンスの引出しシートとして使用するときの図です。
【発明を実施するための形態】
【０００７】
「図４」〜「図７」に示したような使い方です。
【産業上の利用可能性】
【０００８】
今後色々な製品にフルボ酸炭を使用することにより、日常環境の中でフルボ酸木酢液の抗菌効果と沐浴効果と、さらにフルボ酸の有用効果も持続的に受けることができるようになり、心と身体の健康に一役買っていけることが期待できます。
特に足の健康については、臭いや水虫で悩む人は数知れないと思います。これらにも大いに有用性が期待できます。
【図１】
2017071555.tif 000003
【図２】
2017071555.tif 000004
【図３】
2017071555.tif 000005
【図４】
2017071555.tif 000006
【図５】
2017071555.tif 000007
【図６】
2017071555.tif 000008
【図７】
2017071555.tif 000009
(57)【要約】      （修正有）【課題】焼き物（セラミック）製品の雑菌、腐敗菌が発生することの防止。【解決手段】貝殻微粒粉末及び貝殻の高温焼成高純度微粉末（貝殻の高温焼成高純度粉末で水溶液に混濁した場合いのｐＨ１２以上のアルカリ反応と飽和量を有する性能の粉のこと）を釉薬に対して付加混合し、塗布して、製品を焼成することにより、雑菌、腐敗菌が発生する環境にたいして、抗菌環境を発現させて作り出すことにより焼き物（セラミック）製品の抗菌制御ができる。【選択図】なし【特許請求の範囲】
【請求項１】
貝殻微粒粉末及び貝殻の高温焼成高純度微粉末（貝殻の高温焼成高純度粉末で水溶液に混濁した場合いのｐＨ１２以上のアルカリ反応と飽和量を有する性能の粉のこと）を釉薬に対して付加混合し塗布して、製品を焼成して抗菌環境を作り出し制御方法。
【請求項２】
貝殻微粒粉末及び貝殻の高温焼成高純度微粉末（貝殻の高温焼成高純度粉末で水溶液に混濁した場合いのｐＨ１２以上のアルカリ反応と飽和量を有する性能の粉のこと）を釉薬に対して付加混合方法としては、釉薬に混濁する方法
【請求項３】
貝殻微粒粉末及び貝殻の高温焼成高純度微粉末（貝殻の高温焼成高純度粉末で水溶液に混濁した場合いのｐＨ１２以上のアルカリ反応と飽和量を有する性能の粉のこと）を釉薬に対して付加混合方法としては、釉薬を製品に塗布後、振りかけて混濁する方法
【請求項４】
貝殻微粒粉末及び貝殻の高温焼成高純度微粉末（貝殻の高温焼成高純度粉末で水溶液に混濁した場合いのｐＨ１２以上のアルカリ反応と飽和量を有する性能の粉のこと）を釉薬に対して付加混合方法としては、釉薬を製品に塗布後、吹き付けて混濁する方法
【請求項５】
貝殻微粒粉末及び貝殻の高温焼成高純度微粉末（貝殻の高温焼成高純度粉末で水溶液に混濁した場合いのｐＨ１２以上のアルカリ反応と飽和量を有する性能の粉のこと）を釉薬に対して付加混合方法としては、釉薬を製品に塗布後、塗布面を高温焼成高純度粉末方法（貝殻の高温焼成高純度粉末で水溶液に混濁した場合いのｐＨ１２以上のアルカリ反応と飽和量を有する性能の粉のこと）に沈降して付着させる方法
【発明の詳細な説明】
【課題】
焼き物（セラミック）製品の雑菌、腐敗菌が発生する。抗菌環境を発現させて作り出すことで抑制する。防臭もできる。身体においても支障を及ぼすことのない方法。環境に対しても負荷が低く、従来の工程に対しても簡単に付加できる方法。
【解決手段】
貝殻微粒粉末及び貝殻の高温焼成高純度微粉末を使用して、焼き物（セラミック）製品を製造する工程に付加混合することを特徴とする抗菌制御方法。この時の要件として、貝殻微粒粉末及び貝殻の高温焼成高純度微粉末（貝殻の高温焼成高純度粉末で水溶液に混濁した場合いのｐＨ１２以上のアルカリ反応と飽和量を有する性能の粉のこと）を使用すること、貝殻微粒粉末については高純度微粒粉とし、焼き物（セラミック）製品を製造焼成時の温度は１１００℃以上の高温条件を必要とする、高温焼成高純度微粉末については、水溶液に混濁した場合いの要件としてはｐＨ１２以上のアルカリ反応と飽和量の到達が必要となる条件の下で製作することで、製品焼成後、抗菌性が発現して抗菌制御をする。
【発明の詳細な説明】
【技術分野】
【００１】本発明は、抗菌制御をすることができ、従来行われている製造方法に簡単に付加することができる。技術の提供。
【背景技術】
【００２】焼き物（セラミック）製品では製品製造時においては焼成することで菌の制御ができるが、その後の使用においては、塩素系、酸素系漂白剤等で抗菌作業を行っている。【００３】焼き物（セラミック）製品では、製品を清潔に保つことが重要であり、使用後は清潔にして収納する。または、使用前に清潔にしてから使用するために、抗菌剤を使用するため体に影響を及ぶすこともある。また、環境にも負荷が大きい。【００４】焼き物（セラミック）製品では製品を清潔に保つことが重要であり、使用後は清潔にして抗菌庫に収納、または、殺菌設備の施された庫内に収納することで行ってはいるが、設備が高価である。
【発明が解決しようとする課題】
【００５】本発明は従来の手順に対して付加することで、環境に優しく安全で簡単にできる手段を使用して解決し、抗菌制御方法を提供することを目的とする。
【課題が解決するための手段】
【００６】この本発明は、焼き物（セラミック）製品の抗菌制御を可能とする方法で、貝殻微粒粉末及び貝殻の高温焼成高純度微粉末（貝殻の高温焼成高純度粉末で水溶液に混濁した場合いのｐＨ１２以上のアルカリ反応と飽和量を有する性能の粉のこと）を従来手順に対して簡単に付加することを特徴とする。焼き物（セラミック）製品の抗菌制御方法に適用される。
【発明を実施するための形態】
【００７】本発明は、貝殻微粒粉末及び貝殻の高温焼成高純度微粉末（貝殻の高温焼成高純度粉末で水溶液に混濁した場合いのｐＨ１２以上のアルカリ反応と飽和量を有する性能の粉のこと）を使用することで抗菌制御することである。
【００８】貝殻は粉砕、微粉砕しただけでは、抗菌活性は認められないので、製品製造時に高温下（１，１００℃以上）で指定時間焼成処理をすることで抗菌性が発現する。
【００９】貝殻は粉砕、微粉砕しただけでは、抗菌活性は認められないので、高温下（１，１００℃以上）で指定時間焼成処理をすることで抗菌性が発現する。焼成後の粉に対して粉砕を施した微粉末を使用するのが好ましい。
【０１０】従来の製造工程に大きな影響を及ばすことなく、また、安価に提供でき、その方法を確立して提供する。
(57)【要約】      （修正有）【課題】打抜き後の枚様排出用紙の平面度が悪化する場合であっても、枚様排出用紙の集積における紙揃えを容易に行える器具を提供する。【解決手段】排出放たれた用紙４の落下姿勢を一定に保ちつつ、一定量の紙積み状態へと移行させる為の抵抗力を発生させる突起物２を咥え尻面に設ける。突起物２は、抵抗力量及び抵抗作用位置を、用紙の乱れ防止に必要とする姿勢を適正に維持させることのできる状態に、都度変更設定する事が可能である。【選択図】図−１
2017071042.tif 000002
【特許請求の範囲】
【請求項１】
打抜機の枚様排紙機構部位に装着して、排出積載される時の用紙の乱れ発生を防止する方法と器具の提供に関するものである。
【発明の詳細な説明】
【発明の詳細な説明】
【産業上の利用分野】
【０００１】  本発明は例えば、板紙、又は樹脂フィルムの打抜機による製作作業に関するものである。
【背景技術】
【０００２】  従来の打抜機による枚様排出用紙の積載紙揃え作業は、特に打抜き後の用紙平面度が悪化する品質を余儀なくされる加工商品に於いて、紙積み動作経過途中に、発生する用紙揃い乱れ現象を、楔等を枚様積載用紙間に必要都度挿入して、防止しているのが一般的で有る。【０００３】  上述から、現状の打抜機による作業は、打抜き後の用紙平面度変形が原因で派生する、紙積み歪みを、積載用紙乱れが発生しない状態へと、紙積み動作途中に必要に応じ、継続的にその姿勢を修正する作業を行う必要があり、動線作業負荷削減改善の問題となっている。
【発明が解決しようとする課題】
【０００４】  上記説明でも明らかなように、上記公知の打抜機運転中の動線作業負荷問題を解決し作業を改善することにある。
【０００５】  本発明は、上記の問題点を解決するためになされたもので、用紙の乱れ発生を防止する方法とそれを実現する器具を提供する事により作業改善を図る事にある。
【課題を解決するための手段】
【０００６】  上記課題を解決するために、本発明は、現状の排出機構の機能をより効果的に有効に活用させる方法の採用と、その効果を実現する器具をそれに付加して得る事を特徴とする。
【０００７】  付加する機能とは、排出放たれた用紙の落下姿勢を一定に保ちつつ、一定量の紙積み状態へと移行させる為の抵抗力を発生させる方法と、それを実現させる突起物を咥え尻面に設けて得る事を特徴とする。
【０００８】  抵抗力を発生させる突起物は、抵抗力量及び抵抗作用位置を、用紙の乱れ防止に必要とする姿勢を適正に維持させることのできる状態に、都度変更設定する事が可能とする事を特徴とする。
【発明の効果】
【０００９】  本発明は、打抜機による打抜き作業中、随時継続的作業として発生する事が多い、紙乱れ防止作業を削減出来る事により、動線の省力化が図れ、作業負荷量の削減が可能となる。
【００１０】  用紙乱れ防止用に用いる楔等の部品も削減可能となり、利用部品が種類または量共に少なくなり、在庫管理環境の改善が可能となり、費用削減が図れる。
【実施例】
【００１１】  本発明による動作効果例を図で示し説明する。
【図面の簡単な説明】
【００１２】
【図−１】は、打抜機の枚様排紙機構部位と紙の乱れ防止器具を装備した例を示している。
【００１３】
【図−２】は、紙積み歪み状態と、紙歪み乱れ防止の為の突起物による姿勢更正状態の例を示している。
【００１５】
【符号の説明】
【００１６】▲１▼紙積み装置  ▲２▼乱れ防止器具  ▲３▼吊りチェ−ン  ▲４▼紙積み用紙
▲５▼載せ板      ▲５▼紙歪み更正状態部位  ▲６▼紙歪み状態部位
【図−１】
2017071042.tif 000003
【図−２】
2017071042.tif 000004
(57)【要約】【課題】  従来、シート状のマグネットはプラスチック成型物に磁石を組み込んだものよりも磁力が弱い為、複数枚の磁着に適さないものであり、又、複数枚の磁着が可能なものも、横方向に幅広くスペースが必要であったり、マグネットシートの周辺にスペースが必要であったりと重ねての使用が困難であった。【解決手段】  マグネットシートを外径から中央部に向かって螺旋状の切り込みを入れ切り離し、マグネットシートの外径の下部にメモ用紙を磁着させ、二枚目のメモ用紙は外径の次に中央側の螺旋状のマグネットシートの下部に磁着し、メモ用紙を順にマグネットシート中央部に向かって一枚ずつ磁着することで、複数枚のメモ用紙を重ねて磁着可能となり、そのうち一枚のメモ用紙を抜き取る作業も他のメモ用紙を外すことなくできるということを特徴とする螺旋状マグネットシート。【選択図】図２
2017071208.tif 000002
【特許請求の範囲】
【請求項１】
マグネットシートをマークや図柄に合わせた形に成型し、外径から中央部に向かって螺旋状の切り込みを入れ切り離し、切り離されたマグネットシートの外径の下部にメモ用紙等を磁着させ、二枚目のメモ用紙は外径の次に中央側に切り離された螺旋状のマグネットシートの下部に磁着し、このように外径の螺旋状マグネットシートの下部から順にメモ用紙をマグネットシート中央部に向かって一枚ずつ磁着することで、複数枚のメモ用紙を螺旋状マグネットシートの螺旋部分の幅にずらした状態で重ねて磁着することが可能になり、そのうち一枚のメモ用紙を抜き取る作業も他のメモ用紙を外すことなくできるということを特徴とする螺旋状マグネットシート。
【発明の詳細な説明】
【技術分野】
【０００１】  本発明は、プリントやメモ用紙等をスチール面に止着するために用いるマグネットシートからなるメモクリップで、螺旋状に切り込みの入ったマグネットシートでメモ用紙等を磁着することで、複数枚の用紙を磁着することが可能なメモクリップに関するものである。
【背景技術】
【０００２】  従来、シート状のマグネットはプラスチック成型物に磁石を組み込んだものよりも磁力が弱い為、複数枚の磁着に適さないものであった（特許文献１、特許文献２、特許文献３参照）。
又、複数枚の磁着が可能なものも、横方向に幅広くスペースが必要であったり、マグネットシートの周辺にスペースが必要であったりと重ねての使用が困難であった（特許文献４、特許文献５参照）。
【先行技術文献】
【０００３】
【特許文献１】  特開２００２−２６４５７３号公報
【特許文献２】  特開２００６−２２４６４３号公報
【特許文献３】  特開２０１１−２１８７７１号公報
【特許文献４】  特開２０１２−０００９７１号公報
【特許文献５】  特開２０１４−０４００６４号公報
【発明の概要】
【発明が解決しようとする課題】
【０００４】  参考文献に示される先行技術は、複数枚のメモ用紙等を磁着するスペースを最小限に抑えるためにメモ用紙等を重ねて磁着することが困難であった。
又、そのうち一枚を抜き取る作業も難儀であった。
本発明は、以上の問題を解決するためになされたものである。
【問題を解決するための手段】
【０００５】  マグネットシートをマークや図柄に合わせた形に成型し、外径から中央部に向かって螺旋状の切り込みを入れ切り離し、切り離されたマグネットシートの外径の下部にメモ用紙等を磁着させ、二枚目のメモ用紙は外径の次に中央側に切り離された螺旋状のマグネットシートの下部に磁着し、このように外径の螺旋状マグネットシートの下部から順にメモ用紙をマグネットシート中央部に向かって一枚ずつ磁着することで、複数枚のメモ用紙を螺旋状マグネットシートの螺旋部分の幅にずらした状態で重ねて磁着することが可能になり、そのうち一枚のメモ用紙を抜き取る作業も他のメモ用紙を外すことなくできる。
以上を特徴とする螺旋状マグネットシートである。
【発明の効果】
【０００６】  外径から中央部に向かって螺旋状に切り離させたマグネットシートに外側から順にメモ用紙を磁着することで、螺旋部分の幅にずらした状態で重ね磁着することができスペースをとらない。
又、それぞれのメモ用紙が螺旋状のマグネットシートで磁着されていることにより、磁着されている複数枚のうち一枚を抜き取る作業も容易である。
【図面の簡単な説明】
【０００７】
【図１】  本発明の正面図である。
【図２】  本発明の実施例を示した正面図である。
【発明を実施するための形態】
【０００８】  以下、本発明を実施するための形態について説明する。
マークや図柄に合わせた形に成型したマグネットシート（１）に外径から中央部に向かって螺旋状の切り込み（２）を入れ、切り離なす。
本発明は以上のような構造である。
本発明を使用するときは、マグネットシートの外径の下部（１ａ）にメモ用紙（３）を磁着させ、二枚目のメモ用紙（３ａ）は外径の次に中央側に切り離された螺旋状のマグネットシートの下部（１ｂ）に磁着する。
このように外径の螺旋状マグネットシートの下部から順にメモ用紙をマグネットシート中央部に向かって一枚ずつ磁着することで、複数枚のメモ用紙を螺旋状マグネットシートの螺旋部分の幅にずらした状態で重ねて磁着することが可能になり、そのうち一枚のメモ用紙を抜き取る作業も他のメモ用紙を外すことなくできる。
【符号の説明】
【０００９】    １      マグネットシート
１ａ    マグネットシート外径の下部
１ｂ    外径の次に中央側に切り離された螺旋状のマグネットシートの下部
２      螺旋状の切り込み
３      メモ用紙
３ａ    二枚目のメモ用紙
【図１】
2017071208.tif 000003
【図２】
2017071208.tif 000004
(57)【要約】【課題】  ダブルクリップは、紙束などをまとめて挟むことを目的として考案された文房具であるが、デザインが画一的であり、おしゃれでかわいらしい使い方、あるいは、メッセージ性を込めた使い方と言った観点はほとんど考慮されていない。このような事情を鑑み、ダブルクリップへの装着が容易な装飾シートを提供することを課題とする。【解決手段】  本発明の装飾シートは、紙、布、皮革、樹脂板などを素材としたシートの中央部付近に、ダブルクリップの二つの開閉レバー金具を貫通させるための二つの切れ目を有し、かつ、シートの両端はダブルクリップ本体の紙束などを挟む部分に巻き込む構造を有していることを特徴としている。  本発明による装飾シートをダブルクリップに装着することで、装飾シートのデザインに応じた装飾性やメッセージ性が発揮され、単なるクリップとしての使用はもちろん、おしゃれでかわいらしいダブルクリップの新しい使い方を演出および実現することができる。【選択図】図１
2017071206.tif 000002
【特許請求の範囲】
【請求項１】
ダブルクリップを覆う装飾シートにおいて、ダブルクリップの二つの開閉レバーをそれぞれ貫通させる二つの切れ目を有し、かつ、シートの両端をクリップ本体の紙束などを挟む部分に巻き込む構造を有した、ダブルクリップ装飾シート
【発明の詳細な説明】
【技術分野】
【０００１】  本発明は、ダブルクリップのおしゃれでかわいらしい使い方を実現するための、装飾シートに関するものである。
【背景技術】
【０００２】  ダブルクリップは、紙束などをまとめて挟むことを目的として考案された文房具であるが、デザインが画一的であり、おしゃれでかわいらしい使い方、あるいは、メッセージ性を込めた使い方と言った観点はほとんど考慮されていない。
【先行技術文献】
【特許文献】
【０００３】
【特許文献１】  不明
【発明の概要】
【発明が解決しようとする課題】
【０００４】  本発明は上記の事情に鑑みてなされたものであり、ダブルクリップへの装着が容易な装飾シートを提供することを課題とする。
【課題を解決するための手段】
【０００５】  上記課題を解決するために、本発明の装飾シートは、紙、布、皮革、樹脂板などを素材としたシートの中央部付近に、ダブルクリップの二つの開閉レバー金具を貫通させるための二つの切れ目を有し、シートの両端はダブルクリップ本体の紙束などを挟む部分に巻き込む構造を有していることを特徴としている。
【発明の効果】
【０００６】  単に紙束などをまとめて挟むことを目的とするダブルクリップが、本発明による装飾シートをダブルクリップに装着することで、装飾シートのデザインに応じた装飾性やメッセージ性を発揮し、単なるクリップとしての使用はもちろん、メッセージカードを挟んでテーブルの上に置いたり、壁に掲示するなどの方法で、おしゃれでかわいらしいダブルクリップの新しい使い方を演出、実現することができる。
【図面の簡単な説明】
【０００７】
【図１】  本発明の装飾シートの全体図である。（この場合は犬のデザインを例に表現している）
【図２】  ［図１］に示す本発明の装飾シートをダブルクリップに装着した場合の切断図である。（切断位置は［図１］に表記してある）
【図３】  ［図１］に示す本発明の装飾シートをダブルクリップに装着した場合の斜視図である。
【発明を実施するための形態】
【０００８】以下、本発明を実施するための形態について図面を用いて説明する。
（イ）  装飾シートには、紙、皮革、樹脂板などの素材を用いる。
（ロ）  装飾シートを装着するダブルクリップのサイズに合わせて、シートの長さ（５）および開閉レバーを貫通させる切れ目（１）の位置と長さを決める。シートの長さ（５）は、クリップ本体の周長の概ね２倍を基準とし、開閉レバー（７）を貫通させる切れ目（１）の位置と長さは、用いるダブルクリップの開閉レバー（７）が（１１）の位置まで貫通する位置および長さとする。シート両端のクリップ本体に巻き込む部分（２）の長さは、クリップ本体（６）と接着剤で固定するのに十分な長さとする。
（ハ）  装飾シートに表現するデザインに基づいて、シートの輪郭線（３）を決めてカットし、開閉レバー（７）を貫通させる切れ目（１）を入れ、シート内部にデザインに基づいた切れ込み（４）や彩色等の表現をする。
（二）  以上の作業で装飾シートは完成する。これをダブルクリップに装着する際に、ダブルクリップの挟む部分（１２）に巻き込むシートの両端（２）は、クリップの開閉でシートが容易にはずれないように接着剤（９）でダブルクリップ本体（６）に接着する。
【符号の説明】
【０００９】１：ダブルクリップの開閉レバーを貫通させる切れ目
２：ダブルクリップの挟む部分に巻き込むシート端部
３：装飾シートの輪郭線  ４：デザインのためのシート内切り込み
５：装飾シートの長さ  ６：ダブルクリップ本体  ７：ダブルクリップの開閉レバー
８：装飾シート  ９：接着剤層
１０：装飾シートのデザインによる切れ目に沿う開口部
１１：開閉レバーを装飾シートに貫通させる部分
１２：装飾シートの両端はクリップの挟む部分に巻き込ませる
１３：ダブルクリップの開閉レバー  １４：ダブルクリップの本体
１５：装飾シート
１６：ダブルクリップの開閉レバーを貫通させるための切れ目
１７：デザインのためのシート内切れ目
１８：デザインのためのシート内切れ目に沿って生じる穴状部分
【図１】
2017071206.tif 000003
【図２】
2017071206.tif 000004
【図３】
2017071206.tif 000005
(57)【要約】【課題】リングノートは折り返して使うこともできるノートであるが、ノートカバーに入れて折り返そうとすると、背表紙部の盛り上がりが干渉して、リングノートを折り返せなかった。また、ノートを開いたり閉じたりする際に、ノートがカバーから出たり入ったりする動きをしてしまっていた。【解決手段】本発明はリングノートカバーの背面部をヒンジ構造とすることにより、リングノートを折り返す際にカバー背面部が干渉しない構造とするものである。【選択図】図１
2017071116.tif 000002
【特許請求の範囲】
【請求項１】
リングノートカバーの背表紙部分について、ヒンジ構造をもった製品。
【請求項２】
ノートカバーやブックカバーについて、ノートや本がカバーから出たり入ったりしないための構造。
【発明の詳細な説明】
【技術分野】
【０００１】
本発明はリングノートやノート、本のカバーに関し、さらに詳細には背表紙の折れ曲がり部分に関する。
【背景技術】
【０００２】
リングノートは折り返して使うこともできるノートであるが、ノートカバーに入れて折り返そうとすると、背表紙部の盛り上がりが干渉して、リングノートを折り返せなかった。
また、ノートを開いたり閉じたりする際に、ノートがカバーから出たり入ったりする動きをしてしまっていた。
【発明の概要】
【発明が解決しようとする課題】
【０００３】
本発明ではこうした問題を鑑みて、折り返し可能なリングノートカバーの製作を目的とする。
また、カバーの中でノートや本が出たり入ったりする動きをしないカバーの製作を目的とする。
【課題を解決するための手段】
【０００４】
本発明はリングノートカバーの背面部をヒンジ構造とすることにより、リングノートを折り返す際にカバー背面部が干渉しない構造とするものである。
【発明の効果】
【０００５】
本発明により、通常のリングノートと同様の動きのままリングノートの利用が可能となる。
また、ノートを開いたり閉じたりする際に、通常のノートカバーはノートがカバーの中で出たり入ったりしてしまっていたが、カバーの中でノートの位置が変わらず、ノートの開閉を行えるものである。
【図面の簡単な説明】
【０００６】
【図１】発明した折り返せるリングノートカバーの実施例１。
【図２】発明したリングノートカバーにリングノートを装着し、リングノートを折り返そうとしたときの途中の図。
【図３】発明したリングノートカバーにリングノートを入れて折り返した図。
【図４】発明したリングノートカバーにリングノートを装着し、見開いて使用したときの図。
【発明を実施するための形態】
【０００７】
次に図面を参照しながら実施例の説明を行う。本発明は以下の実施例に限定されるものではない。
【０００８】
図１は発明したリングノートカバーを表紙背面から見た図である。部材Aと部材eの外周部を接合し、リングノートの表紙を挿入し、同様に部材Dと部材gの外周部を接合し、リングノートの裏表紙を挿入する構造となる。
背表紙の部材A、B、C、Dはそれぞれ切り離されており、それらがヒンジ構造として働くべく、裏から部材e、ｆ、ｇで接合するものである。部材e、ｆ、ｇもそれぞれ切り離されている。
【０００９】
図２は、図１のリングノートカバーにリングノートを装着し、折り返そうとしているときの図である。
リングノートを通常のとおりに折り返そうとするにつれて、
部材AとBの間の切れ目、および部材DとCの切れ目を支点としてB部、D部は上方に移動し、
折り返しが完了すると図３の形状となる。
従来のカバーでは折り返そうとした際にB、C部の行き場がない状態であったが、本発明ではヒンジ構造を採用することによりB、C部をリングと反対方向に逃がすことにより、リングノートの折り返しを可能とした。
【００１０】
図４はリングノートを見開いて机に置いた図である。
通常のノートカバーは背表紙部分の張力により、
リングノートを見開こうとすると、
リングノート自体がカバーから押し出されてしまい、安定しない状態となってしまっていた。
机にノートを見開いておこうとすると、毎回ノートが押し出され、閉じようとするとノートはカバーの中に戻り、の繰り返しとなってしまっていた。
本発明では張力のかかる部分は分断されており、また、張力を逃がすヒンジ構造となっている。
張力が発生し、ノートを押し出してしまう原因である部分は、本発明では部材A、B、C、Dが切り離されている部分である。
本発明では張力が発生する部分を切り離し、張力の発生をヒンジ構造で逃がすことにより、ノートが押し出されることなくリングノートを開閉できるリングノートカバーである。
【産業上の利用可能性】
【００１１】
見開いたり、折り返したりする際にノート部分が出たり入ったりせず開閉できる点について、ブックカバーの背表紙部分に利用できる。
【図１】
2017071116.tif 000003
【図２】
2017071116.tif 000004
【図３】
2017071116.tif 000005
【図４】
2017071116.tif 000006
(57)【要約】【課題】  本発明は、葬儀で使用する根付き花の生花祭壇である。通常は切り花で生花祭壇を製作して式後に切り花を処分して、次回の葬儀では新たに切り花を仕入れるため祭壇費用が高くなるために、何度も使用可能な根付き花の生花祭壇を提供する。【解決手段】  基板の目（６）に形成した祭壇（４）を傾斜させ立てて設け、鉢（２）の部分を土こぼれ防止のネット袋（３）で包んだ根付き花（１）を設け、基板の目（６）に差し込み設けた根付き花の生花祭壇を特徴とする。【選択図】図１
2017109067.tif 000002
【特許請求の範囲】
【請求項１】
祭壇（４）に根付き花（１）を設けた、根付き花の生花祭壇。
【発明の詳細な説明】
【技術分野】
【０００１】  本発明は、葬儀の祭壇に鉢植えした根付き花を使用した根付き花の生花祭壇に関するものである。
【背景技術】
【０００２】  従来、生花祭壇は大量の切り花を使用して製作し、葬儀が終われば切り花は処分した。
【発明の概要】
【発明が解決しようとする課題】
【０００３】  これには次のような欠点があった。
（イ）従来、生花祭壇は大量の茎の長い切り花を水を含ませたスポンジ状の台に刺して祭壇を製作したが、茎の短い花は使用が無理であった。
（ロ）葬儀が終われば使用した切り花は萎れるため、次回の葬儀には使用できず処分していた。
（ハ）葬儀の度に大量の切り花を仕入れるため、お客さんへの祭壇費用が高くなり、負担が大きかった。
（ニ）切り花を刺すスポンジ状の台は水をたっぷり含ませているため重く、持ち運びが特に女性作業員には重労働であった。
本発明は以上のような欠点をなくすため、なされたものである。
【課題を解決するための手段】
【０００４】  基板の目（６）に形成した祭壇（４）を傾斜させ立てて設け、鉢（２）の部分を土こぼれ防止のネット袋（３）で包んだ根付き花（１）を設け、基板の目（６）に差し込み設ける。
本発明は以上の構成よりなる根付き花の生花祭壇である。
【発明の効果】
【０００５】（イ）鉢植えの根付き花を使用するので、式後に鉢に水を与えれば、花が枯れることなく次回の葬儀に使用し続けることが出来る。
（ロ）これまで使用出来なかった茎の短い花も、鉢植えの根付き花であるから使用可能で、製作の幅が広がった。
（ハ）傾斜した祭壇の基板の目に、鉢植えの根付き花を差し込むことで花が正面を向くので、これまでと異なった美しい祭壇を製作できる。
（ニ）これまでの切り花のように毎回仕入れる必要がなく、会社は経費削減ができ、お客さんには祭壇費用を安く提供できる。
（ホ）切り花のように葬儀後に処分することがないので、環境にやさしくエコである。
【図面の簡単な説明】
【０００６】
【図１】本発明の生花祭壇製作中の斜視図である。
【図２】本発明の根付き花の斜視図である。
【図３】本発明の祭壇の正面図である。
【図４】本発明の生花祭壇製作中の側面図である。
【図５】本発明の生花祭壇要部拡大の側面断面図である。
【発明を実施するための形態】
【０００７】以下、本発明を実施するための最良の形態について説明する。
基板の目（６）を複数設け形成した祭壇（４）を傾斜し立てて設ける。
傾けた鉢（２）から土がこぼれ落ちないよう、鉢（２）をネット袋（３）で包み口をしぼった根付き花（１）を設け、複数の基板の目（６）に差し込みを設ける。
本発明は、以上のような構成である。
これを使用するときは、根付き花（１）を祭壇（４）の複数の基板の目（６）に差し込み、企画デザイン通りの生花祭壇を製作する。
式後は、根付き花（１）の鉢（２）に水を与え、次回の葬儀に使用すればよい。
【符号の説明】
【０００８】１  根付き花
２  鉢
３  ネット袋
４  祭壇
５  遺影
６  基板の目
【図１】
2017109067.tif 000003
【図２】
2017109067.tif 000004
【図３】
2017109067.tif 000005
【図４】
2017109067.tif 000006
【図５】
2017109067.tif 000007
(57)【要約】【課題】従来の筆入れは竹製の筆巻きや筆箱を使用していました。筆の置き場所や筆の出し入れが不便で筆の使用中に机上から転がり落下したりと困っていた。【解決手段】筆入れの上部にすべり止め２を取り付けて、すべり止め部分を机上に敷き、筆入れ部分を机の前面に垂らし、筆の使用時には整理された状態で筆が机上から転がり落下することがなくなり、スムーズに絵の具を使用できた。また外側にスナップボタンで留めると筆立てとしても使用できて２通りの使い方ができる。片付けや持ち運びも便利になった。【選択図】図１
2017109068.tif 000002
【特許請求の範囲】
【発明の詳細な説明】
【技術分野】
【０００１】本発明は筆入れにすべり止めを設けた、すべり止め付筆入れに関するものである。
【背景分野】
【０００２】従来筆入れは収納するだけのものであった。
【発明の概要】
【発明が解決しようとしている課題】
【０００３】従来は筆の収納だけで、使用時に筆の出し入れに時間がかかり、筆が机の上から転がり落下してしまう難点があった。本発明はこの課題を解消するためになされたものである。
【課題を解決するための手段】
【０００４】筆入れの上部にすべり止めを設けて、すべり止め部分を机の上に敷き、筆入れの部分を机の前に垂らし、筆が整理された状態で筆の出し入れがスムーズにできるようになった。
また３つ折りにしてまるめてホックで留めると筆立てとして使用できて２通りの使い方ができる。片付けも簡単で持ち運びも便利になった。
【発明の効果】
【０００５】絵画教室や家庭で使用する時、机の上が有効活用できて筆が整理された状態で使用できるので机上から筆が落下することがなくなり、片付けも簡単で、持ち運びが便利になった。
また筆立てとしても２通りの使い方ができる。
【図面の簡単な説明】
【０００６】
【図１】  本発明の正面図である
【図２】  本発明の使用時の傾斜図である
【図３】  本発明の筆立て時の正面図である
【図４】  本発明の収納時の正面図である
【発明を実施するための形態】
【０００７】以下、本発明の形態について説明する。
（イ）筆入れの上部２にすべり止めを取り付けた
（ロ）筆入れ部分３のサイドにスナップボタン４を設けた
【符号の説明】
【０００８】１  すべり止め付き筆入れの正面図
２  すべり止め
３  筆入れ
４  スナップボタン
５  収納時
【図１】
2017109068.tif 000003
【図２】
2017109068.tif 000004
【図３】
2017109068.tif 000005
【図４】
2017109068.tif 000006
【手続補正書】
【提出日】平成28年2月18日(2016.2.18)
【手続補正２】
【補正対象書類名】特許請求の範囲
【補正対象項目名】全文
【補正方法】変更
【補正の内容】
【特許請求の範囲】
【請求項１】
従来の筆入れは、筆を収納するものであった。
使用時には筆の出し入れに時間がかかり、筆が机上から転がり落下する難点があった。本発明はこの課題を解決するために筆入れの上部にすべり止めを設けて、すべり止め部分を机の上に敷いて、筆入れ部分を机の前面に吊るす。それによって筆が整理された状態で使用でき、筆の落下がなくなった。
また外側に三つ折りにして巻いて、スナップボタンでとめると筆立てとしても使用できます。収納時は内側に三つ折りにしてスナップボタンでとめて、持ち運びします。
(57)【要約】【課題】中高層建築物にいてる人に物品を配達するには、配達人が中高層建築物の下まで車等で行き、そこからは物品を手に持って歩いてエレベーターや階段で上下し、その階の廊下を歩いて配達先まで行って届けるのが大方の現状である。たいへん時間と労力がかかる。これを解決したい。【解決手段】中高層建築物に物品を配達するのに配達人が中高層建築物の下の地面から配達先住宅まで物品を手に持って配達するのではなくて、配達人が地面下から、「浮力を持ったバルーンを装備しかつ前後左右移動力を持ちかつ操作をする者とロープでつながっている空間浮遊移動体」をロープ巻き取り器や電源スイッチで操作することにより、空間浮遊移動体に乗せた物品を空間浮遊移動体が配達先まで空間浮遊して物品を配達するようにする。【選択図】図１
2017109720.tif 000002
【特許請求の範囲】
【請求項１】
気体が封入されてあり、地上からの電流で作動するモーター付プロペラの回転の働きで空間を上下移動できる「バルーン」を上方に装備し、かつバルーン下方にロープでつながっていて、上下移動用のプロペラとは別の、地上からの電流とモーターにより回転する２個のプロペラの回転の働きで空間を前後左右移動可能な機器であり、かつ操作をする者の手元にあり三つのプロペラの回転を制御するスィツチ盤とロープ巻き取り器とがロープでつながっている「空間浮遊移動体」を用いて、物品の発注者がおる中高層建築物の下から物品の届け人が空間浮遊移動体を有視界範囲で運転操作し、電話やインターネット等で中高層建築物の方から受注した物品を空間浮遊移動体の上部に装着し、発注者のいてる中高層建築物の所定の階の指定した窓口または指定した入り口まで、空間浮遊移動体を空間浮遊移動させて、受注した物品を、人に代わって空間浮遊移動体が届ける方法
【発明の詳細な説明】
【技術分野】
【０００１】  この発明は中高層建築物内の人に物品を届ける際に、人手に代わり、「気体を封入しかつプロペラの回転で上下の移動力を備えたバルーン部」とその下に位置し、つなぎ用ロープと電線でつながれた「プロペラの回転で前後と左右の移動力を備えた空間浮遊移動体部とその下に位置し、つなぎ用ロープと電線でつながれた、「スイッチおよび電源差し込みおよびつなぎ用ロープと電線巻き取り部とを有する機器部」との３部分からなる機器を使用して中高層建築物内の人に配達の物品を届けものである。
【背景技術】
【０００２】  従来は中高層建築物内の人に届ける物品は配達人が車でお届け先中高層建築物近くまで運び配達人が車を降り配達物品を手に持って中高層建築物の入り口を入ってエレベーター等で所定の階までいき入り口まで移動しで入り口で配達物品を手渡していた。
【発明の概要】
【発明が解決しようとする課題】
【０００３】  配達者は配達の物品を車に積んで購入者の中高層建築物の下まで行き車を降りてそこからは配達の物品を手で持って購入者宅に届けるため、手間と時間がかかった。【０００４】  配達の物品を手で持って購入者に届けるのではなく、本発明の機器の使用で配達の物品を運ぶことにより手間と時間の短縮が図れる。【０００５】  手間と時間の短縮により配達物品の低価格を図る事が可能になる。
【課題を解決するための手段】
【０００６】  「気体を封入しその下部に１個のモーター付きプロペラを有し上下の移動力を備えたバルーン部」と、その下に位置しバルーンと電線とロープで連なる「２個のモーター付きプロペラの回転で前後左右の移動力を備えた空間浮遊移動体部」と、さらにその下に位置し、空間浮遊移動体と電線とロープで連なる、「スイッチおよび電源への差し込み口および電線とバルーン、空間浮遊移動体をつなぎ止めるロープ巻き取り部」を有する３個の部分からなる機器を用いる。【０００７】  空間浮遊移動体の上部に、物品を乗せて配達者が本発明の機器をお届け先のある中高層建築物の下の地面から操作し、そこからは物品等を配達者が購入者に人手ではなく本発明の機器を有視界で操作し配達物品を届ける。
【発明の効果】
【０００８】  物品等購入者は、低廉な物品をいながらにして迅速に入手できる。【０００９】  物品販売者はこの発明の採用で物品等を迅速に効率よく購入者に届けることが可能なために営業利益の向上につながる。
【図面の簡単な説明】
【００１０】
【図１】  物品配達に使用する機器の全体正面図
【符号の説明】
【００１１】  １………気体を封入したバルーン
２………バルーンを上下に移動するためのモーターつきプロペラ
３………バルーン部と空間浮遊移動体をつなぐロープ
４………電線
５………配達する商品
６………空間浮遊移動体
７………空間浮遊移動体を前後に推進させるためのモーターつきプロペラ
８………空間浮遊移動体を左右に推進させるためのモーターつきプロペラ
９………モーターつきプロペラのスイッチ
１０………電源用差し込み
１１………電線とロープの巻き取り器
【図２】
空間浮遊移動体の斜視図
【符号の説明】
【００１２】  １………バルーンぶ部と空間浮遊移動体をつなぐロープ
２………電線
３………配達する商品
４………配達する商品を入れるところ
５………空間浮遊移動体を前後に推進させるためのモーターつきプロペラ
６………空間浮遊移動体を左右に推進させるためのモーターつきプロペラ
７………「空間浮遊移動体」と「スイッチおよび電源への差し込み口および電線とロー          プ巻き取り器部」をつなぐロープ
【図１】
2017109720.tif 000003
【図２】
2017109720.tif 000004
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
気体が封入されてあり、地上からの電流で作動するモーター付プロペラの回転の働きで空間を上下移動できる「バルーン」を上方に装備し、かつバルーン下方にロープでつながっていて、上下移動用のプロペラとは別の、地上からの電流とモーターにより回転する２個のプロペラの回転の働きで空間を前後左右移動可能な機器であり、かつ操作をする者の手元にあり三つのプロペラの回転を制御するスィツチ盤とロープ巻き取り器とがロープでつながっている「空間浮遊移動体」を用いて、物品の発注者がいる中高層建築物の下から物品の届け人が空間浮遊移動体を有視界範囲で運転操作し、中高層建築物の方から受注した物品を空間浮遊移動体の上部に装着し、発注者のいる中高層建築物の所定の階の指定した窓口または指定した入り口まで、空間浮遊移動体を空間浮遊移動させて、受注した物品を、人に代わって空間浮遊移動体が届ける方法
(57)【要約】      （修正有）【課題】自動車運転者の日の出、日没時、入射角度が小さい太陽の眩しさを防ぎ、信号や他の車、歩行者等の確認を容易にして、運転の安全を図る補助具を提供する。【解決手段】サンバイザー１の下端より突き出し、太陽の視直径より少し大きめの補助具２を、運転者の顔正面のサンバイザーにクリップ状に挟み、その突起部分をサンバイザーの下端より突き出すことにより、日の出、日没時、サンバイザーの下端よりさらに低く差し込む太陽の眩しさを防ぐようにした。【選択図】図１
2017109721.tif 000002
【特許請求の範囲】
【請求項１】
自動車運転席のサンバイザーに取付け、日の出、日没時の太陽の眩しさを防ぎ、信号機や他の車、歩行者等の確認をしやすくする補助具である。
【発明の詳細な説明】
【技術分野】
【０００１】本発明は自動車運転者にとって、日の出、日没時の太陽の眩しさを防ぐため、サンバイザーに容易に取り付け可能な補助具である。
【背景技術】
【０００２】従来、自動車運転中、太陽の眩しさはサンバイザーによって防ぐ。
【発明の開示】
【発明が解決しようとする課題】
【０００３】日の出、日没時の自動車運転は、太陽の入射角度が小さくサンバイザーの下端よりさらに低く光が差し込み、信号や他の車、歩行者等の確認が困難となり、安全運転を損ねかねない。
本、発明は、この問題を解決するサンバイザーの補助具である。
【課題を解決するための手段】
【０００４】サンバイザーの下端よりさらに低く突き出す形状の補助具を取り付ける。
取り付ける位置は、運転者の顔の正面。突き出し部分の大きさは太陽の視直径より少し大きめとする。
【発明の効果】
【０００５】日の出、日没時、この補助具を左右に移動、又は顔を移動させ、太陽を対角線上に置くことによって太陽光のみを遮ぎり、信号や他の車、歩行者等の確認が容易となる。
【発明を実施するための最良の形態】
【０００６】補助具をクリップ状の形態とし、サンバイザーを挟むようにすることで、左右に移動させることが可能となる。
【図面の簡単な説明】
【０００７】
【図１】本発明の正面から見た図
【図２】本発明の断面図
【図３】本発明の斜視図、表側、裏側
【符号の説明】
【０００８】▲１▼サンバイザー
▲２▼補助具
【図１】
2017109721.tif 000003
【図２】
2017109721.tif 000004
【図３】
2017109721.tif 000005
(57)【要約】【課題】この発明により、方向性がなく、摩耗も少なく長く使用できるスクラッチ具を提供する。【解決手段】スクラッチカード等の遮蔽シールを剥離する為のスクラッチ具であって、このスクラッチ具は、平板を略多角形に形成した把持部と、この把持部の外端に形成した多角形の削り部から構成されるスクラッチ具であり、把持部を指で摘み、削り部で遮蔽シールを剥離させることができる。【選択図】図１
2017109466.tif 000002
【特許請求の範囲】
【請求項１】
スクラッチカード等の遮蔽シールを剥離する為のスクラッチ具であって、このスクラッチ具は、平板を略多角形に形成した把持部と、この把持部の外端に形成した多角形の削り部から構成されるスクラッチ具。
【請求項２】
請求項１のスクラッチ具の把持部の平面部に凸部を設けたことを特徴とするスクラッチ具。
【発明の詳細な説明】
【技術分野】
【０００１】この発明は、宝くじ等のスクラッチカードの遮蔽シールを剥がすスクラッチ具に関する。
【背景技術】
【０００２】従来、宝くじのスクラッチカードは、硬貨を擦りつけて、遮蔽シールを剥がすことが多かった。この場合、硬貨の端面は湾曲しているので、十分な幅に渡って剥がすことができなかった。
この為、特許文献１や特許文献２のように、直線状の刃を有する道具が公開されていた。
【先行技術文献】
【特許文献】
【０００３】
【特許文献１】特開２００５−２９８６４１
【特許文献２】米国特開２０１３−０２３２７９５
【発明の概要】
【発明が解決しようとする課題】
【０００４】しかしながら、特許文献１や特許文献２の技術では、たくさんのスクラッチカードを削った場合、同一の刃面で多くの遮蔽シールを削ると刃が鈍ってしまう問題があった。また、特許文献１や特許文献２の技術では刃が一箇所にしかないので、刃が違う向きに置いてある場合、持ち替えなければならないという煩わしさがあった。【０００５】さらに、特許文献１や特許文献２の道具は、構造が複雑で嵩張るという問題もあった。
【課題を解決するための手段】
【０００６】スクラッチカード等の遮蔽シールを剥離する為のスクラッチ具であって、このスクラッチ具は、平板を略多角形に形成した把持部と、この把持部の外端に形成した多角形の削り部から構成されるスクラッチ具である。
【発明の効果】
【０００７】この発明により上記の問題点を解決し、方向性がなく、摩耗も少なく長く使用できるスクラッチ具を提供することができる。
【図面の簡単な説明】
【０００８】
【図１】第一の実施例のスクラッチ具の斜視図である。
【図２】第一の実施例のスクラッチ具を示す図１のＡＡ断面図である。
【図３】第二の実施例のスクラッチ具の斜視図である。
【図４】第二の実施例のスクラッチ具を示す図３のＢＢ視の断面図である。
【図５】第三の実施例のスクラッチ具の斜視図である。
【図６】第一の実施例のスクラッチ具の、平面図、底面図、左側面図、右側面図、正面図、背面図、ＡＡ断面図である。
【発明を実施するための形態】
【０００９】スクラッチカード等の遮蔽シールを剥離する為のスクラッチ具であって、このスクラッチ具は、平板を略多角形に形成した把持部と、この把持部の外端に形成した多角形の削り部から構成されるスクラッチ具である。
上記のスクラッチ具の把持部の平面部に凸部を設けたことを特徴とするスクラッチ具である。
【実施例】
【００１０】図１、図２により第一の実施例のスクラッチ具を説明する。スクラッチカード等の遮蔽シールを剥離する為のスクラッチ具１０は、平板を略多角形に形成した把持部２０と、この把持部２０の外端に形成した多角形の削り部３０から構成されている。スクラッチ具１０は、通常、ステンレスの平板をプレスで打ち抜いて多角形に形成するが、硬質のプラスチックで形成しても良い。【００１１】多角形の削り部３０は、厚さ略１ｍｍの平板の表裏の端面に長さ６から７ｍｍの削り刃３１を有している。この長さは長い方が幅広く削れるが、力が分散するので限度がある。長さが６から７ｍｍであると、スクラッチカードの図柄がこの幅であるので一度に剥離でき、かつ容易に削ることできる。多角形の接円の外径は直径２８ｍｍ程度が、持ちやすく、コンパクトである。【００１２】削り部３０は、この実施例では１２対の直線状の削り刃３１を有しているので、一つの削り刃３１に摩耗が集中せず、多くのスクラッチカードを削っても摩耗が少ない利点がある。また、全方向に削り部３０があるので、どの方向に把持してもそのままスクラッチ作業をすることができる。また、特許文献１や特許文献２の技術と違って、単一の部材で構成されているのでコストも安く、コンパクトで財布の硬貨入れに入れることができ、手帳や本の間に栞替りに挟むこともできる。【００１３】図３、図４は第二の実施例のスクラッチ具１０であり、凹部２２をプレスして凸部２１を設けたものである。スクラッチ具１０を机上に置いた際、スクラッチ具１０の端面が浮き上がり、スクラッチ具１０を指で摘み易くすることできる。【００１４】図５は第三の実施例のスクラッチ具１０であり、紙片やプラスチック片を貼り付けて凸部２１としたものである。凸部２１の厚みによりスクラッチ具１０を摘み易くするとともに、広告等を記載することもできる利点がある。なお、これら凸部２１は、スクラッチ具１０の両面に設けた方が、方向性がなく便利である。取付孔２３は、ストラップ等を取り付ける孔である。
【産業上の利用可能性】
【００１５】この発明のスクラッチ具は、宝くじのスクラッチカードだけでなく、他の遮蔽シールの剥離にも利用可能である。
【符号の説明】
【００１６】１０はスクラッチ具
２０は把持部
２１は凸部
２２は凹部
２３は取付孔
３０は削り部
３１は削り刃
【図１】
2017109466.tif 000003
【図２】
2017109466.tif 000004
【図３】
2017109466.tif 000005
【図４】
2017109466.tif 000006
【図５】
2017109466.tif 000007
【図６】
2017109466.tif 000008